(57)【要約】【課題】この発明は、地上アナログ放送と地上デジタル放送との周波数配置を考慮して、または、将来的に地上アナログ放送が廃止されることを考慮して、自動利得制御を最適化することにより、地上デジタル放送の受信時に実用上十分な受信ＣＮを得ることができるようにした放送受信装置及び放送受信方法を提供することを目的としている。【解決手段】地上デジタル放送と地上アナログ放送との周波数配置を示すリパッキング情報を取得し、そのリパッキング情報に基づいて、受信された高周波信号に自動利得制御を施す第１の自動利得制御手段２４ｂ，２５，３７と、混合部２４ｄで変換された中間周波信号に自動利得制御を施す第２の自動利得制御手段２４ｈ，２５，３８とに対する利得を制御する制御手段３５を備える。【選択図】図３
2007013603.tif 000002
【特許請求の範囲】
【請求項１】
デジタル放送された高周波信号を受信する受信手段と、
前記受信手段で受信された高周波信号を中間周波信号に変換する変換手段と、
前記変換手段で変換された中間周波信号にデコード処理を施すデコード手段と、
前記デコード手段に供給される中間周波信号のレベルに基づいて前記受信手段で受信された高周波信号に自動利得制御を施す第１の自動利得制御手段と、
前記デコード手段に供給される中間周波信号のレベルに基づいて前記変換手段から出力された中間周波信号に自動利得制御を施す第２の自動利得制御手段と、
前記デジタル放送とアナログ放送との周波数配置を示す情報を取得する取得手段と、
前記取得手段で取得された周波数配置情報に基づいて前記第１及び第２の自動利得制御手段に対する利得を制御する制御手段とを具備することを特徴とする放送受信装置。
【請求項２】
前記制御手段は、前記取得手段で取得された周波数配置情報に基づいて、前記デジタル放送と前記アナログ放送信号の多波干渉が生じない範囲で、前記高周波信号及び中間周波信号に対する自動利得制御が最適化されるように、前記第１及び第２の自動利得制御手段に対する利得配分を制御することを特徴とする請求項１記載の放送受信装置。
【請求項３】
前記取得手段は、前記デジタル放送で送信されるリパッキング情報を、前記デジタル放送とアナログ放送との周波数配置を示す情報として取得することを特徴とする請求項１記載の放送受信装置。
【請求項４】
前記取得手段は、取得した前記リパッキング情報を記憶手段にダウンロードさせることを特徴とする請求項３記載の放送受信装置。
【請求項５】
デジタル放送された高周波信号を受信する第１の工程と、
前記第１の工程で受信された高周波信号を中間周波信号に変換する第２の工程と、
前記第２の工程で変換された中間周波信号にデコード処理を施す第３の工程と、
前記第３の工程でデコード処理が施される中間周波信号のレベルに基づいて前記第１の工程で受信された高周波信号に第１の自動利得制御を施す第４の工程と、
前記第３の工程でデコード処理が施される中間周波信号のレベルに基づいて前記第２の工程で変換された中間周波信号に第２の自動利得制御を施す第５の工程と、
前記デジタル放送とアナログ放送との周波数配置を示す情報を取得する第６の工程と、
前記第６の工程で取得された周波数配置情報に基づいて前記第１及び第２の自動利得制御に対する利得を制御する第７の工程とを具備することを特徴とする放送受信方法。
【請求項６】
前記第７の工程は、前記第６の工程で取得された周波数配置情報に基づいて、前記デジタル放送と前記アナログ放送信号の多波干渉が生じない範囲で、前記高周波信号及び中間周波信号に対する自動利得制御が最適化されるように、前記第１及び第２の自動利得制御に対する利得配分を制御することを特徴とする請求項５記載の放送受信方法。
【請求項７】
前記第６の工程は、前記デジタル放送で送信されるリパッキング情報を、前記デジタル放送とアナログ放送との周波数配置を示す情報として取得することを特徴とする請求項６記載の放送受信方法。
【請求項８】
前記第６の工程は、取得した前記リパッキング情報を記憶手段にダウンロードさせることを特徴とする請求項７記載の放送受信方法。
【発明の詳細な説明】
【技術分野】
【０００１】
この発明は、地上デジタル放送を受信する放送受信装置及び放送受信方法に係り、特にその受信した高周波信号及び該高周波信号から変換された中間周波信号に対して自動利得制御を行なうものに関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このように、現在では、地上アナログ放送と地上デジタル放送とが混在している。これにより、放送受信装置としては、地上デジタル放送の受信に際して、予め設定された多波入力状態に対応した動作が行なわれることになる。
【０００４】
すなわち、放送受信装置は、そのフロントエンド部において、受信した高周波信号が低レベルの場合、その高周波信号に対する自動利得制御と、該高周波信号から変換した中間周波信号に対する自動利得制御とを併用して、必要な受信ＣＮ（carrier to noise ratio）を確保するようにしている。
【０００５】
この場合、放送受信装置では、地上アナログ放送信号の干渉を予め想定して、高周波信号及び中間周波信号に対する自動利得制御を行なっているため、利得を自由に設定することができないことから、自動利得制御を行なっても実用上十分な受信ＣＮを得ることが困難であるという問題が生じている。
【０００６】
特許文献１には、受信チャンネル毎に異なる高周波性能や、隣接チャンネルのレベル等の受信電波事情の違いに応じて、非線形歪みやＣＮ不足による受信品位の劣化を判断し、最適な受信状態に設定することを可能とした自動利得制御回路及び受信機の構成が開示されている。
【特許文献１】特開２００１−１０２９４７号公報
【発明の開示】
【発明が解決しようとする課題】
【０００７】
そこで、この発明は上記事情を考慮してなされたもので、地上アナログ放送と地上デジタル放送との周波数配置を考慮して、または、将来的に地上アナログ放送が廃止されることを考慮して、自動利得制御を最適化することにより、地上デジタル放送の受信時に実用上十分な受信ＣＮを得ることができるようにした放送受信装置及び放送受信方法を提供することを目的とする。
【課題を解決するための手段】
【０００８】
この発明の実施の形態に係る放送受信装置は、デジタル放送された高周波信号を受信する受信手段と、受信手段で受信された高周波信号を中間周波信号に変換する変換手段と、変換手段で変換された中間周波信号にデコード処理を施すデコード手段と、デコード手段に供給される中間周波信号のレベルに基づいて受信手段で受信された高周波信号に自動利得制御を施す第１の自動利得制御手段と、デコード手段に供給される中間周波信号のレベルに基づいて変換手段から出力された中間周波信号に自動利得制御を施す第２の自動利得制御手段と、デジタル放送とアナログ放送との周波数配置を示す情報を取得する取得手段と、取得手段で取得された周波数配置情報に基づいて第１及び第２の自動利得制御手段に対する利得を制御する制御手段とを備えるようにしたものである。
【０００９】
また、この発明の実施の形態に係る放送受信方法は、デジタル放送された高周波信号を受信する第１の工程と、第１の工程で受信された高周波信号を中間周波信号に変換する第２の工程と、第２の工程で変換された中間周波信号にデコード処理を施す第３の工程と、第３の工程でデコード処理が施される中間周波信号のレベルに基づいて第１の工程で受信された高周波信号に第１の自動利得制御を施す第４の工程と、第３の工程でデコード処理が施される中間周波信号のレベルに基づいて第２の工程で変換された中間周波信号に第２の自動利得制御を施す第５の工程と、デジタル放送とアナログ放送との周波数配置を示す情報を取得する第６の工程と、第６の工程で取得された周波数配置情報に基づいて第１及び第２の自動利得制御に対する利得を制御する第７の工程とを備えるようにしたものである。
【発明の効果】
【００１０】
上記した構成及び方法によれば、アナログ放送とデジタル放送との周波数配置を示す情報を取得し、その周波数配置情報に基づいて高周波信号及び中間周波信号に対して最適な自動利得制御が行なわれるように利得を設定するので、アナログ放送とデジタル放送との周波数配置を考慮して、または、将来的にアナログ放送が廃止されることを考慮して、自動利得制御を最適化することができ、デジタル放送の受信時に実用上十分な受信ＣＮを得ることが可能となる。
【発明を実施するための最良の形態】
【００１１】
以下、この発明の実施の形態について図面を参照して詳細に説明する。図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１２】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１３】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１４】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１５】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１６】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＯＦＤＭ（orthogonal frequency division multiplexing）デコード処理が施された後、セレクタ２６に供給される。
【００１７】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１８】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００１９】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２０】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２１】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２２】
ここで、上記制御部３５は、スタンド１３内に収容されたＨＤＤユニット２０と接続されている。これにより、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２３】
図３は、上記チューナ部２４及びデコーダ部２５の詳細を示している。すなわち、チューナ部２４の入力端子２４ａには、上記アンテナ２２で受信したデジタルテレビジョン放送信号、つまり、高周波（ＲＦ：radio frequency）信号が供給される。
【００２４】
この入力端子２４ａに供給された高周波信号は、第１の可変利得増幅部２４ｂに供給されて利得制御された後、帯域選択用のトラッキングフィルタ２４ｃを介して混合部２４ｄに供給される。
【００２５】
この混合部２４ｄは、入力された高周波信号を、局部発振器２４ｅから出力される局部発振信号を混合することにより、中間周波（ＩＦ：intermediate frequency）信号に変換している。なお、局部発振器２４ｅは、ＰＬＬ（phase locked loop）部２４ｆにより局部発振信号の周波数が制御されている。
【００２６】
そして、上記混合部２４ｄから出力された中間周波信号は、弾性表面波フィルタでなるＢＰＦ（band pass filter）２４ｇを通り、第２の可変利得増幅部２４ｈに供給されて利得制御された後、出力端子２４ｉを介して上記デコーダ部２５に供給される。
【００２７】
ここで、デコーダ部２５は、入力された中間周波数信号のレベルに基づいて、第１の可変利得増幅部２４ｂの利得を制御するための利得制御信号を生成している。この利得制御信号は、パルス幅変調の形態で出力されるため、ＬＰＦ（low pass filter）３７により平滑化された後、入力端子２４ｊを介して第１の可変利得増幅部２４ｂに供給されて、ここに、高周波信号に対する自動利得制御（ＲＦ ＡＧＣ：automatic gain control）が行なわれる。
【００２８】
また、上記デコーダ部２５は、入力された中間周波数信号のレベルに基づいて、第２の可変利得増幅部２４ｈの利得を制御するための利得制御信号を生成している。この利得制御信号は、パルス幅変調の形態で出力されるため、ＬＰＦ３８により平滑化された後、入力端子２４ｋを介して第２の可変利得増幅部２４ｈに供給されて、ここに、中間周波信号に対する自動利得制御（ＩＦ ＡＧＣ）が行なわれる。
【００２９】
ここで、地上デジタル放送では、そのＳＩ（service information）情報の１つとしてリパッキング情報を送信している。このリパッキング情報は、地上アナログ放送が廃止された後における地上デジタル放送の周波数再配置を示している。
【００３０】
すなわち、複数の地上アナログ放送が順次廃止されていくと、その地上アナログ放送で使用していた周波数帯域が空くことになるため、その空きの生じた周波数帯域を地上デジタル放送に順次使用して、周波数帯域の有効利用を図ることが考えられている。
【００３１】
このため、地上アナログ放送では、それぞれの受信地域毎に、各ユーザのテレビジョン放送受信装置１１等に向けて、地上アナログ放送と地上デジタル放送との周波数配置を示すリパッキング情報を送信するようにしている。
【００３２】
このリパッキング情報には、所定の地上アナログ放送の廃止前後における、地上アナログ放送及び地上デジタル放送のチャンネル周波数リストや廃止日等が含まれる。そして、テレビジョン放送受信装置１１では、リパッキング情報を受信してメモリ部３６にダウンロードすることにより、現在の地上アナログ放送と地上デジタル放送との周波数配置を把握することが可能となる。
【００３３】
ここで、テレビジョン放送受信装置１１の制御部３５は、メモリ部３６にダウンロードされたリパッキング情報を参照して、現在の地上アナログ放送と地上デジタル放送との周波数配置を認識し、その周波数配置に応じて、上記デコーダ部２５に対して利得制御信号の生成を制御するための制御信号を出力している。
【００３４】
この制御信号が供給されることにより、デコーダ部２５は、現在の地上アナログ放送と地上デジタル放送との周波数配置に応じて、地上アナログ放送信号の干渉が生じない最大の利得で、高周波信号に対する自動利得制御と中間周波信号に対する自動利得制御とが行なえる利得制御信号を生成し、第１及び第２の可変利得増幅部２４ｂ，２４ｈの利得を制御する。
【００３５】
図４（ａ）は、高周波信号及び中間周波信号のレベルと自動利得制御の利得との関係を示している。すなわち、高周波信号に対する自動利得制御に対しては、地上アナログ放送が所定数存在していた前回の特性（ＲＦ ＡＧＣ１）に比べて、地上アナログ放送が廃止により前回よりも削減された今回の特性（ＲＦ ＡＧＣ２）のほうが、地上アナログ放送信号の干渉が低減され周波数帯域を広く使える分、利得を高く設定することが可能となる。
【００３６】
また、中間周波信号に対する自動利得制御に対しても、地上アナログ放送が所定数存在していた前回の特性（ＩＦ ＡＧＣ１）に比べて、地上アナログ放送が廃止により前回よりも削減された今回の特性（ＩＦ ＡＧＣ２）のほうが、地上アナログ放送信号の干渉が低減され周波数帯域を広く使える分、利得を高く設定することが可能となる。
【００３７】
そして、制御部３５では、リパッキング情報により現在の地上アナログ放送と地上デジタル放送との周波数配置を認識し、その周波数配置に基づいて地上アナログ放送信号の干渉が生じない範囲で、高周波信号及び中間周波信号に対する自動利得制御が最適化されるように、利得配分を変更している。
【００３８】
図４（ｂ）は、高周波信号及び中間周波信号のレベルと、上記のような自動利得制御を行なったことによる受信ＣＮとの関係を示している。すなわち、地上アナログ放送が所定数存在していた前回のＣＮに比べて、地上アナログ放送が廃止により前回よりも削減された今回のＣＮのほうが、最低限必要なＣＮを大きく上回っていることがわかる。
【００３９】
図５は、リパッキング情報に基づいて自動利得制御の利得を変更する動作をまとめたフローチャートを示している。すなわち、開始（ステップＳ１）されると、制御部３５は、ステップＳ２で、リパッキング情報の取得動作を実行し、ステップＳ３で、リパッキング情報が取得できたか否かを判別する。
【００４０】
リパッキング情報が取得できないと判断された場合（ＮＯ）、制御部３５は、地上デジタル放送が存在しない地域であると判断し、ステップＳ４で、地上アナログ放送の受信を行なうように制御して、処理を終了（ステップＳ５）する。
【００４１】
また、上記ステップＳ３でリパッキング情報が取得できた判断された場合（ＹＥＳ）、制御部３５は、ステップＳ６で、リパッキング情報から得られた現在の地上アナログ放送と地上デジタル放送との周波数配置に基づいて、高周波信号及び中間周波信号に対する自動利得制御のための利得を設定して、処理を終了（ステップＳ５）する。
【００４２】
上記した実施の形態によれば、リパッキング情報により現在の地上アナログ放送と地上デジタル放送との周波数配置を認識し、その周波数配置に基づいて高周波信号及び中間周波信号に対して最適な自動利得制御が行なわれるように利得を設定するので、地上デジタル放送の受信時に実用上十分な受信ＣＮを得ることが可能となる。
【００４３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４４】
【図１】この発明の実施の形態を示すもので、テレビジョン放送受信装置の外観を説明するために示す斜視図。
【図２】同実施の形態におけるテレビジョン放送受信装置の信号処理系を説明するために示すブロック構成図。
【図３】同実施の形態におけるテレビジョン放送受信装置のチューナ部及びデコーダ部の詳細を説明するために示すブロック構成図。
【図４】同実施の形態におけるテレビジョン放送受信装置の自動利得制御の特性を説明するために示す図。
【図５】同実施の形態におけるテレビジョン放送受信装置の自動利得制御動作を説明するために示すフローチャート。
【符号の説明】
【００４５】
１１…テレビション放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２１…操作子、２２…アンテナ、２３…入力端子、２４…チューナ部、２５…デコーダ部、２６…セレクタ、２７…アンテナ、２８…入力端子、２９…チューナ部、３０…Ａ／Ｄ変換部、３１…入力端子、３２…Ａ／Ｄ変換部、３３…入力端子、３４…信号処理部、３５…制御部、３６…メモリ部、３７，３８…ＬＰＦ。
【図１】
2007013603.tif 000003
【図２】
2007013603.tif 000004
【図３】
2007013603.tif 000005
【図４】
2007013603.tif 000006
【図５】
2007013603.tif 000007